(57)【要約】【課題】  アンカーフレームの支持板を容易に水平にすることができるようにする。【解決手段】  四角形の枠状をなす支持板２の下面の各辺部に脚部材３をそれぞれ配置する。脚部材３は、金属製の平板を折り曲げることにより、水平な下板部３Ａと、この下板部３ａの一端部から鉛直に起立する起立板部３ｂと、この起立板部３ｂの上端部から下板部３ｂ側と逆側に延びる水平な上板部３ｃとを有する階段状の部材とする。上板部３ｃを支持板２の下面に溶接固定する。支持板２の各辺の縁を、起立板部３ｂから上板部３ｃの先端側へ離間させる。【選択図】  図２
2006016931.tif 000002
【特許請求の範囲】
【請求項１】
厚さ方向を上下方向に向けた支持板と、当該支持板の下面に固定された金属製の三つ以上の脚部材とを備え、上記支持板には、当該支持板を上下に貫通し、アンカーボルトの下端部がそれぞれ挿通される複数の貫通孔が形成され、上記脚部材が、水平な下板部、この下板部の一端部から上方に向かって起立する起立板部、及び当該起立板部の上端部から上記下板部側と逆側に向かって延びる水平な上板部を有し、上記三つ以上の脚部材の各上板部が上記支持板の下面にそれぞれ固定されることにより、上記支持板が上記脚部材によって水平に支持されたアンカーフレームにおいて、
上記支持板の外周縁が上記起立板部から上記上板部の先端側に離間した状態で、上記上板部が上記支持板の下面に固定されていることを特徴とするアンカーフレーム。
【請求項２】
厚さ方向を上下方向に向けた支持板と、当該支持板の下面に固定された金属製の三つ以上の脚部材とを備え、上記支持板には、当該支持板を上下に貫通し、アンカーボルトの下端部がそれぞれ挿通される複数の貫通孔が形成され、上記支持板が上記脚部材によって水平に支持されたアンカーフレームにおいて、
上記支持板が長方形状をなす四つの板材によって四角形の枠状に形成され、上記支持板を形成する各板材の外側の長辺のみに上方又は下方に突出するリブが形成され、上記支持板の各辺部に上記脚部材がそれぞれ配置されていることを特徴とするアンカーフレーム。
【請求項３】
厚さ方向を上下方向に向けた支持板と、当該支持板の下面に固定された金属製の三つ以上の脚部材とを備え、上記支持板には、当該支持板を上下に貫通し、アンカーボルトの下端部がそれぞれ挿通される複数の貫通孔が形成され、上記支持板が上記脚部材によって水平に支持されたアンカーフレームにおいて、
上記支持板が平面視Ｌ字状をなす二つの板材によって四角形の枠状に形成され、上記支持板を形成する上記板材の外側の二辺のみに上方又は下方に突出するリブが形成され、上記支持板の各辺部に上記脚部材がそれぞれ配置されていることを特徴とするアンカーフレーム。
【請求項４】
上記脚部材が、上記支持板の各辺部の中央より隅部に寄った部位にそれぞれ配置されていることを特徴とする請求項１〜３のいずれかに記載のアンカーフレーム。
【請求項５】
上記脚部材が上記支持板の中心に関して点対称に配置されていることを特徴とする請求項４に記載のアンカーフレーム。
【請求項６】
上記脚部材が、長方形の平板状をなす金属板を折り曲げることによって構成されていることを特徴とする請求項１〜５のいずれかに記載のアンカーフレーム。
【請求項７】
厚さ方向を上下方向に向けて配置され、アンカーボルトの下端部がそれぞれ挿通される複数の貫通孔が形成された支持板と、当該支持板の下面に固定された金属製の三つ以上の脚部材と、上記支持板の上方に水平に配置され、上記アンカーボルトの上端部がそれぞれ挿通される複数の挿通孔が形成された板状のテンプレートと、各アンカーボルトにそれぞれ螺合され、上記テンプレートを上下に挟持する複数対のナットとを備えたアンカーフレームにおいて
上記挿通孔の内径が上記アンカーボルトの上端部より大径に形成され、上記各対のナットのうちの一方のナットに上記挿通孔の内周面に嵌合する環状突出部が形成され、この環状突出部の突出量が上記テンプレートの厚さより小さく設定され、上記環状突出部を上記挿通孔に嵌合させた状態で各対のナットを締め付けることにより、上記アンカーボルトの軸線を上記挿通孔の軸線と一致せしめることを特徴とするアンカーフレーム。
【発明の詳細な説明】
【技術分野】
【０００１】
この発明は、複数のアンカーボルトを上下に立設する際に用いられるアンカーフレームに関する。
【背景技術】
【０００２】
一般に、アンカーフレームは、下記特許文献１に記載されているように、厚さ方向を上下方向に向けた支持板と、この支持板の下面に固定された脚部材とを有している。支持板は、四角形の枠状をなしており、上下に貫通する複数の貫通孔が形成されている。一方、脚部材は、金属製の板材を折り曲げることによって構成されており、水平な下板部と、この下板部の一端部から上方へ起立する起立板部と、この起立板部の上端部から下板部と逆側に向かって延びる水平な上板部とを有している。脚部材は、四つ用いられており、各脚部材の上板部が支持板の下面の各辺部の中央部にそれぞれ固定されている。
【０００３】
上記のように構成されたアンカーフレームを用いてアンカーボルトを立設する場合には、各脚部材の下板部を捨てコンクリート（以下、捨てコンという）上に載置する。そして、捨てコンに予め設けられたアンカーによって下板部を捨てコンに固定する。これにより、アンカーフレームを捨てコンに固定する。その後、アンカーボルトの下端部を支持板の貫通孔に挿通し、アンカーボルトに螺合された二つのナットによって支持板を挟持する。これにより、アンカーボルトを支持板に立設固定する。同様にして、他の貫通孔にもアンカーボルトの下端部をそれぞれ挿通して固定する。
【０００４】
【特許文献１】実開平２―１２０５３４号公報
【発明の開示】
【発明が解決しようとする課題】
【０００５】
捨てコンの上面の平面度及び各脚部材の高さには、それぞれ製造上の誤差がある。このため、支持板を捨てコンに固定したときには、支持板が水平にならないことがある。支持板が水平でないと、アンカーボルトが鉛直に立設されずに傾斜してしまう。そこで、支持板が水平でないときには、脚部材の下板部と捨てコンとの間に高さ調整用のシムを介装し、それによって支持板を水平にしている。
しかしながら、シムによって支持板の水平出しを行う場合には、厚さが異なる各種のシムを予め準備しておかなければならないという問題があった。
【課題を解決するための手段】
【０００６】
上記の問題を解決するために、この発明の第１の態様は、厚さ方向を上下方向に向けた支持板と、当該支持板の下面に固定された金属製の三つ以上の脚部材とを備え、上記支持板には、当該支持板を上下に貫通し、アンカーボルトの下端部がそれぞれ挿通される複数の貫通孔が形成され、上記脚部材が、水平な下板部、この下板部の一端部から上方に向かって起立する起立板部、及び当該起立板部の上端部から上記下板部側と逆側に向かって延びる水平な上板部を有し、上記三つ以上の脚部材の各上板部が上記支持板の下面にそれぞれ固定されることにより、上記支持板が上記脚部材によって水平に支持されたアンカーフレームにおいて、上記支持板の外周縁が上記起立板部から上記上板部の先端側に離間した状態で、上記上板部が上記支持板の下面に固定されていることを特徴としている。
この発明の第２の態様は、厚さ方向を上下方向に向けた支持板と、当該支持板の下面に固定された金属製の三つ以上の脚部材とを備え、上記支持板には、当該支持板を上下に貫通し、アンカーボルトの下端部がそれぞれ挿通される複数の貫通孔が形成され、上記支持板が上記脚部材によって水平に支持されたアンカーフレームにおいて、上記支持板が長方形状をなす四つの板材によって四角形の枠状に形成され、上記支持板を形成する各板材の外側の長辺のみに上方又は下方に突出するリブが形成され、上記支持板の各辺部に上記脚部材がそれぞれ配置されていることを特徴としている。
この発明の第３の態様は、厚さ方向を上下方向に向けた支持板と、当該支持板の下面に固定された金属製の三つ以上の脚部材とを備え、上記支持板には、当該支持板を上下に貫通し、アンカーボルトの下端部がそれぞれ挿通される複数の貫通孔が形成され、上記支持板が上記脚部材によって水平に支持されたアンカーフレームにおいて、上記支持板が平面視Ｌ字状をなす二つの板材によって四角形の枠状に形成され、上記支持板を形成する上記板材の外側の二辺のみに上方又は下方に突出するリブが形成され、上記支持板の各辺部に上記脚部材がそれぞれ配置されていることを特徴としている。
この発明の第１〜第３の形態においては、上記脚部材が、上記支持板の各辺部の中央より隅部に寄った部位にそれぞれ配置されていることが望ましい。特に、上記脚部材が上記支持板の中心に関して点対称に配置されていることが望ましい。
また、上記脚部材が、長方形の平板状をなす金属板を折り曲げることによって構成されていることが望ましい。
この発明の第４の態様は、厚さ方向を上下方向に向けて配置され、アンカーボルトの下端部がそれぞれ挿通される複数の貫通孔が形成された支持板と、当該支持板の下面に固定された金属製の三つ以上の脚部材と、上記支持板の上方に水平に配置され、上記アンカーボルトの上端部がそれぞれ挿通される複数の挿通孔が形成された板状のテンプレートと、各アンカーボルトにそれぞれ螺合され、上記テンプレートを上下に挟持する複数対のナットとを備えたアンカーフレームにおいて、上記挿通孔の内径が上記アンカーボルトの上端部より大径に形成され、上記各対のナットのうちの一方のナットに上記挿通孔の内周面に嵌合する環状突出部が形成され、この環状突出部の突出量が上記テンプレートの厚さより小さく設定され、上記環状突出部を上記挿通孔に嵌合させた状態で各対のナットを締め付けることにより、上記アンカーボルトの軸線を上記挿通孔の軸線と一致せしめることを特徴としている。
【発明の効果】
【０００７】
上記特徴構成を有するこの発明の第１の態様によれば、支持板の極く僅かな水平誤差については、例えば支持板の高さが高い部分を下方へ押して当該部分に対応する位置又はその近傍に位置する脚部材の上板部を変形させることにより、支持板の水平誤差を解消することができる。この場合、支持板の周縁が上板部の起立板部から離間した先端側に位置しており、支持板が上板部の先端部に固定されているので、上板部を比較的容易に変形させることができる。
【発明を実施するための最良の形態】
【０００８】
以下、この発明を実施するための最良の形態を、図面を参照して説明する。
図１及び図２は、この発明の一実施の形態を示す。これらの図に示すように、この実施の形態に係るアンカーフレーム１は、支持板２と４つの脚部材３とを有している。
【０００９】
支持板２は、鋼等の金属製の４枚の平板（板材）２Ａによって構成されている。各平板２Ａは、長方形状をなしており、互いに同一形状、同一寸法を有している。そして、一の平板２Ａの長手方向における一端部の一側面に他の平板２Ａの長手方向における他端面を突き当てた状態で、平板２Ａ，２Ａが互いに固定されている。同様にして全ての平板２Ａが順次固定されている。これにより、四角形状（この実施の形態では正方形状）をなす支持板２が構成されている。支持板２は、四角形状に形成することなく、他の形状例えば円形状に形成してもよい。また、支持板２は、強度的な問題がなければ、金属以外の材質、例えば繊維強化プラスチック等によって構成してもよい。
【００１０】
支持板２は、その厚さ方向を上下方向に向けて配置されている。つまり、水平に配置されている。支持板２には、上下に貫通する複数の貫通孔２ａが形成されている。貫通孔２ａは、アンカーフレーム１を用いて立設すべきアンカーボルト６（図４〜図７参照）の下端部が挿通されるものであり、アンカーボルト６の数に応じた数だけ形成されている。この実施の形態では、貫通孔２ａが８個形成されている。貫通孔２ａは、支持板２の各隅部にそれぞれ１個宛て配置され、各辺部にそれぞれ２個宛て配置されている。各貫通孔２ａは、周方向に等間隔をもって配置されている。貫通孔２ａは、アンカーボルトが四つ用いられる場合には支持板２の各隅部に配置される。各支持板２の長手方向に沿う側部には、上方に向かって起立するリブ２ｂが形成されている。これにより、支持体２の強度向上が図られている。リブ２ｂは、下方に向かって突出させてもよい。また、リブ２ｂは、支持板２の全周にわたって形成してもよい。
【００１１】
脚部材３は、鋼等の金属かならなる長方形の平板を階段状に折り曲げることによって構成されており、水平な下板部３ａと、この下板部３ａの一端部から上方へ向かって鉛直に起立する起立板部３ｂと、この起立板部３ａの上端部から下板部３ａ側と逆側へ向かって延びる水平な上板部３ｃとを有している。脚部材３は、階段状に形成することなく、「Ｚ」字状に形成してもよい。勿論、その場合には、起立板部３ｂが鉛直方向に対して傾斜することになる。
【００１２】
四つの脚部材３は、支持板２の四つの辺部（周縁部）にそれぞれ配置されている。脚部材３は、支持方２の各辺部の長手方向における中央部に配置してもよいが、この実施の形態では支持板２の各辺部の長手方向における中央と隅部との間のほぼ中央部に配置されている。他の脚部材３も同様に配置されている。この結果、各脚部材３は、支持板２の中心に関して点対称に配置されている。脚部材３の上板部３ｃは、支持板２の下面に溶接固定されている。上板部３は、溶接以外の固定手段、例えばボルト及びナットによって固定してもよい。上板部３ｃは、その上面全体が支持板２の下面に突き当たることなく、起立板部３ｂから先端側に離間した箇所から先端側の先端部だけが支持板２の下面に接触しかつ固定されている。換言すれば、支持板２の各辺の縁は、起立板部３ｂに対して上板部３ｃの先端側に離間させられている。
【００１３】
次に、上記構成のアンカーフレーム１を用いてアンカーボルト６を鉛直に立設固定する場合の一例を説明する。まず、図３に示すように、脚部材３の下板部３ａを捨てコン４（図７参照）上に載置する。そして、水準器（図示せず）等を用いて支持板２の水平度を計測する。支持板２が水平でない場合には、支持板２の高さが低い側に位置する脚部材３の下板部３ａと捨てコン４との間に高さ調整用のシム（図示せず）を挿入する。シムによって高さ調節しても僅かな水平誤差が残っている場合には、支持板２の高さが高い部位を下方に押し、当該部位又はその近傍に位置する脚部材３の上板部３ｃをその先端部が下方へ向かうように変形させ、それによって僅かに残った水平誤差を解消する。このようにして水平誤差を解消すると、シムを用いたときに僅かの水平誤差が残ったとしても、当該シムを厚さが異なる他のシムに変更する必要がない。よって、厚さが異なる各種のシムを準備する必要がなく、数種類のシムを準備するだけで足りる。また、上板部３ｃを変形させるに際しては、支持板２の各辺の縁が起立板部３ｂより上板部３ｃの先端側に位置しているので、上板部３ｃを比較的容易に変形させることができる。支持板２を水平にしたら、下板部３ａを捨てコン４に予め設けられたアンカー５によって捨てコン４に固定する。これにより、アンカーフレーム１を捨てコン４に固定する。
【００１４】
次に、図４に示すように、長手方向を上下方向に向けたアンカーボルト６の下端部を貫通孔２ａに挿通する。アンカーボルト６としては、ねじ鉄筋を用いるのが望ましい。ねじ鉄筋を用いれば、アンカーボルト６の上下の両端部に雄ねじ部を別途形成する必要がないからである。その後、アンカーボルト６の下端部の支持板２を間にした上側と下側の各部位にそれぞれ螺合されたナット７，８を締め付けることにより、アンカーボルト６の下端部を支持板２に挟持固定する。他のアンカーボルト６も同様にして支持板２に順次固定する。全て（８本）のアンカーボルト６を支持板２に立設固定したら、図５に示すように、全てのアンカーボルトを囲むようにしてそれらの外側に複数のフープ筋９を挿入する。なお、図３〜図６においては、リブ２ｂが省略されている。
【００１５】
次に、各アンカーボルト６の上端部にテンプレート１０を固定する。テンプレート１０は、周知のように、支持板２に形成された貫通孔２ａと同数の挿通孔１０ａ（図８参照）を有している。各挿通孔１０ａは、テンプレート１０の中心を支持板２の中心と水平方向において一致させた状態においてテンプレート１０を支持板２に対して上下方向に対向させたとき、支持板２の各貫通孔２ａとそれぞれ軸線を一致させることができるように配置されている。各挿通孔１０ａには、アンカーボルト６の上端部をそれぞれ挿入する。このとき、挿通孔１０ａの内径がアンカーボルト６の上端部の外径より大きく大径に設定されているので、挿通孔１０ａにアンカーボルト６を容易に挿入することができる。その後、図８に示すように、アンカーボルト６の上端部のテンプレート１０を間にした上側と下側との各部位に螺合されたナット１１，１２を締め付けることにより、各アンカーボルト６の上端部をテンプレート１０に固定する。上側に位置するナット１１の下端面には、挿通孔１０ａの内径とほぼ同一の外径を有する環状突出部１１ａが形成されている。この環状突出部１１ａを挿通孔１０ａに嵌合させることにより、アンカーボルト６の上端部の軸線を貫通孔１０ａの軸線と一致させることができるとともに、アンカーボルト６とテンプレート１０とを強固に固定することができる。各アンカーボルト６の上端部をテンプレート１０に固定すると、各アンカーボルト１０の上端部どうしの位置関係が、下端部どうしの位置関係と同一になる。しかも、各アンカーボルト６の上端部どうしがテンプレート１０を介して連結されることにより、アンカーボルト６の倒れが防止され、アンカーボルト１０が鉛直に起立する。その後、各フープ筋９を所定の位置まで上方へ移動させ、アンカーボルト６に固定する（図７参照）。
【００１６】
なお、各アンカーボルト６の上端部をテンプレート１０に固定しておき、その後各アンカーボルト６の下端部を支持板２に固定するようにしてもよい。その場合には、各アンカーボルト６の下端部を支持板２に固定する前に、フープ筋９を全アンカーボルト６を囲むようにそれらの外側に挿入しておく。また、アンカーフレーム１を捨てコン４に固定する前に、アンカーフレーム１、アンカーボルト６、フープ筋９及びテンプレート１０を組み立ててそれらを図６に示すアンカーボルト組立体とし、このアンカーボルト組立体を捨てコン４に固定するようにしてもよい。この場合にも、脚部材３の下板部３ａがアンカー５によって捨てコン４に固定されることは勿論である。
【００１７】
次に、捨てコン４の上に基礎コンクリート１３（図７参照）を打設する。この場合、基礎コンクリート１３の高さは、捨てコン４からテンプレート１０までの距離より若干低く設定される。基礎コンクリート１３が十分に固化したら、テンプレート１０をアアンカーボルト６から上方へ引き抜いて取り外す。その後、図７に示すように、柱鉄骨１４の下端部に溶接等の固定手段によって固定されたベースプレート１５の各貫通孔１５ａにアンカーボルト６の上端部をそれぞれ挿入する。そして、ベースプレート１５の下面中央部と基礎コンクリート１３との間に高さ調節用のモルタルブロック（図示せず）を挿入することにより、柱鉄骨１４の上下方向の位置合わせをする。その後、各アンカーボルト６の上端部に螺合されたナット１６を締め付けることにより、ベースプレート１５をアンカーボルト６に固定するとともに、基礎コンクリート１３の上面にモルタルブロックを介して押圧固定する。その後、基礎コンクリート１３の上面にベースプレートを囲むようにして型枠（図示せず）を設ける。そして、型枠の内面、基礎コンクリート１３の上面、ベースプレート１５の下面及びモルタルブロックの外周面とによって囲まれる空間にモルタル１７を充填する。充填されたモルタル１７は、固化してモルタルブロックと一体化する。その後、型枠を取り外して柱鉄骨１４の立設が終了する。
【００１８】
この発明は、上記実施の形態に限定されるものでなく、その要旨を逸脱しない範囲において適宜変更可能である。
例えば、上記の実施の形態においては、４枚の平板２Ａによって四角形の枠状をなす支持板２を構成しているが、支持板２に代えて、図９又は図１０に示す支持板２′，２″を用いてもよい。図９に示す支持板２′は、平面視「Ｌ」字状をなす二つの平板（板材）２Ｂ，２Ｂを組み合わせて互いに固定することにより、四角形の枠状をなす支持板としたものである。また、図１０に示す支持板２″は、四角形の金属板２Ｃの中央部を四角形に打ち抜くとともに、金属板２Ｃの外周部を折り曲げてリブ２ｂとしたものである。
また、上記の実施の形態においては、脚部材３を四つ用いているが、三つ又は五つ以上用いてもよい。
【図面の簡単な説明】
【００１９】
【図１】この発明に係るアンカーフレームの一実施の形態を示す平面図である。
【図２】図１のＸ−Ｘ線に沿う断面図である。
【図３】この発明に係るアンカーフレームを用いてアンカーボルトを立設するために、アンカーフレームを捨てコン上に載置固定した状態を示す斜視図である。
【図４】この発明に係るアンカーフレームに１本のアンカーボルトを固定した状態を示す斜視図である。
【図５】この発明に係るアンカーフレームに全てのアンカーボルトを固定するとともに、全アンカーボルトの外側に複数のフープ筋を外挿した状態を示す斜視図である。
【図６】この発明に係るアンカーフレームに固定されたアンカーボルトの上端部にテンプレートを固定した状態を示す斜視図である。
【図７】この発明に係るアンカーフレームに固定されたアンカーボルトを利用して柱鉄骨を固定した状態を示す断面図である。
【図８】アンカーボルトとテンプレートとの固定構造を示す拡大断面図である。
【図９】この発明に係るアンカーフレームに用いられる支持板の他の例を示す平面図である。
【図１０】この発明に係るアンカーフレームに用いられる支持板のさらに他の例を示す平面図である。
【符号の説明】
【００２０】
１  アンカーフレーム
２  支持板
２Ａ  平板（板材）
２Ｂ  平板（板材）
２′  支持板
２″  支持板
２ａ  貫通孔
２ｂ  リブ
３  脚部材
３ａ  下板部
３ｂ  起立板部
３ｃ  上板部
６  アンカーボルト
１０  テンプレート
１０ａ  挿通孔
１１  ナット
１１ａ  環状突出部
１２  ナット
【図１】
2006016931.tif 000003
【図２】
2006016931.tif 000004
【図３】
2006016931.tif 000005
【図４】
2006016931.tif 000006
【図５】
2006016931.tif 000007
【図６】
2006016931.tif 000008
【図７】
2006016931.tif 000009
【図８】
2006016931.tif 000010
【図９】
2006016931.tif 000011
【図１０】
2006016931.tif 000012